(57)【要約】【課題】ＬＥＤ素子から照射された光を効率良く利用することができ、且つ、紫外線の発生を防止することができるＬＥＤランプを提供する。【解決手段】ＬＥＤランプ１は、ＬＥＤ素子５を配列したＬＥＤアレイと、ＬＥＤアレイの配列方向と略平行に延在する様に前記ＬＥＤ素子と近接して配置され導光体７とを備え、導光体７は、紫外線を吸収する乳半色のアクリル樹脂によって形成されていることを特徴とする。これにより、ＬＥＤランプは、ＬＥＤ素子から照射された光を効率良く利用することができ、且つ、紫外線の発生を防止することができる。【選択図】  図１
2008218141.tif 000002
【特許請求の範囲】
【請求項１】
ＬＥＤ素子を配列したＬＥＤアレイと、
前記ＬＥＤアレイの配列方向と略平行に延在する様に前記ＬＥＤ素子と近接して配置され導光体とを備え、
前記導光体は、紫外線を吸収する乳半色のアクリル樹脂によって形成されていること
を特徴とするＬＥＤランプ。
【請求項２】
前記導光体の前記ＬＥＤアレイの配列方向と直交する断面は、略円形状に形成されていること
を特徴とする請求項１記載のＬＥＤランプ。
【請求項３】
前記導光体は、透過率が６０％から８８％のアクリル樹脂によって構成されていること
を特徴とする請求項１又は請求項２の何れかの項記載のＬＥＤランプ。
【請求項４】
商用電源から供給された電力を変換して前記ＬＥＤ素子に供給する変換部を備えること
を特徴とする請求項１乃至請求項３の何れかの項記載のＬＥＤランプ。
【発明の詳細な説明】
【技術分野】
【０００１】
本発明は、ＬＥＤランプに関する。
【背景技術】
【０００２】
従来、ＬＥＤ（Light Emitting Diode）素子を用いたＬＥＤランプとしては、特許文献１に記載された発明がある。
【０００３】
【特許文献１】特開２００４−２９６２４５号公報
【０００４】
具体的には、特許文献１に記載されたＬＥＤランプは、所定の実装基板上に複数のチップ型のＬＥＤ素子を配列し、実装基板をガラスや樹脂等によって形成されたバルブ内に封入して構成される。
【発明の開示】
【発明が解決しようとする課題】
【０００５】
しかしながら、特許文献１に記載されたＬＥＤランプでは、一定の照度を得る為には、ＬＥＤ素子の数を増やす必要があり、必要とされる照度に応じて、装置全体の消費電力が増大するという問題があった。これは、上述した発明では、ＬＥＤ素子から照射された光を効率的に利用することができないということに起因する。
【０００６】
また、上述の発明においては、ＬＥＤ素子の光に含まれる紫外線に対しては何ら対応策がなく、ＬＥＤ素子の光に含まれる紫外線は直接ユーザ等に照射されてしまうという問題があった。
【０００７】
そこで、本発明はこの様な実情に鑑みてなされたものであり、ＬＥＤ素子から照射された光を効率良く利用することができ、且つ、紫外線の発生を防止することができるＬＥＤランプを提供することを目的とする。
【課題を解決するための手段】
【０００８】
上記課題を解決する為に、本発明にかかるＬＥＤランプは、ＬＥＤ素子を配列したＬＥＤアレイと、前記ＬＥＤアレイの配列方向と略平行に延在する様に前記ＬＥＤ素子と近接して配置され導光体とを備え、前記導光体は、紫外線を吸収する乳半色のアクリル樹脂によって形成されていることを特徴としている。
【０００９】
この構成によれば、ＬＥＤ素子の光は、導光体に向けて照射され、導光体に入射する。そして、導光体内部に入射した光は、乳半色のアクリル樹脂によって形成された導光体を介して外部に照射される。このとき、アクリル樹脂によってＬＥＤ素子の照射光の紫外線は吸収される。またこのとき、ＬＥＤ素子の照射光は、乳半色のアクリル樹脂によって拡散され、周囲に対して均一に広がり、且つＬＥＤ素子から照射された光を効率良く利用することができる。
【発明の効果】
【００１０】
この様に、本発明によれば、ＬＥＤ素子から照射された光を効率良く利用することができ、且つ、紫外線の発生を防止することができる。
【発明を実施するための最良の形態】
【００１１】
以下、本発明を適用した具体的な実施の形態について図面を参照しながら詳細に説明する。
【００１２】
図１、及び図２に示す様に、ＬＥＤランプ１は、所定の基板３上に配列されたＬＥＤ素子５と、導光体７とを備える。
【００１３】
ＬＥＤ素子５は、基板３上に配列され、ＬＥＤアレイを構成する。この様なＬＥＤ素子５からなるＬＥＤアレイは、図３に示す様に、例えば青色のチップ型のＬＥＤ素子５の発光面を白色に着色し、当該ＬＥＤ素子５を略等間隔に、一直線状に配列して構成される。そしてＬＥＤ素子５の端子は、互いに共通に接続され、図示せぬ電源から供給される電力に基づいて発光する。
【００１４】
導光体７は、ＬＥＤアレイの配列方向と略平行に延在する様に、且つ、ＬＥＤ素子５と近接して配置される。この様な導光体７は、所定の形状の断面を有し、ＬＥＤアレイの配列方向に延在する様に形成される。また、導光体７は、紫外線を吸収する乳半色のアクリル樹脂によって形成される。この様な導光体７は、光の透過率が６０％から８８％程度のアクリル樹脂によって形成されることが好ましい。そしてさらに好適な例としては、導光体７の光の透過率は、約７９％であることが好ましい。発明者の実験によれば、導光体７の光の透過率を上記範囲で設定することによって、２万ルクス以上の照度を得ることができる。また、導光体７は、図４に示す様にアクリル樹脂を略円柱状に形成し、軸方向に沿ってＬＥＤアレイ及びレール９を配置する溝７ａを形成することで製造される。そして、導光体７は、導光体７の軸がＬＥＤアレイの配列方向と略平行になる様に、ＬＥＤ素子５に近接して配置される。発明者の実験によれば、ＬＥＤ素子５と、導光体７との間に一定の間隙を設けて両者を配置することにより、ＬＥＤランプ１の光量を増加させることができる。尚、この様な導光体７の形状は、円柱状に限らず、ＬＥＤ素子５の配列方向と平行な軸を有する様な形状であればどの様な形状であっても良い。すなわち、導光体７におけるＬＥＤアレイの配列方向と直交する断面は、略円形状に限らず、四角等の多角形状や、楕円形状等であっても良い。
【００１５】
この様なＬＥＤランプ１から射出される光は、図５に示す様に、導光体７を介して、領域Ｓに示す様な範囲に一様に照射される。このとき、青色のＬＥＤ素子５から照射された光に含まれる紫外線は、導光体７によって吸収される為、ＬＥＤランプ１から外部に照射される白色の光には紫外線が含まれない。発明者の実験によれば、ＬＥＤランプ１によってＬＥＤ素子５から照射される紫外線の約９８％をカットすることができる。また、ＬＥＤランプ１によれば、ＲＧＢからなる三色のＬＥＤ素子を用いることなく、白色の光を射出することができる。また、ＬＥＤランプ１は、乳半色の導光体７を備える為、ＬＥＤ素子５の数を増加させることなく、消費エネルギーを抑制しながら十分な光を取り出すことが可能となる。
【００１６】
この様なＬＥＤランプ１は、現在多用されている蛍光灯の代用として用いることも可能である。
【００１７】
この様な場合、図６に示す様にＬＥＤランプ１の両端部に、商用電源から供給された電力を変換する変換装置を内蔵した変換部１５を形成する。そして変換部１５において変換された電力は、ＬＥＤ素子５に供給される。また、変換部１５は、現在多用されている照明器具と互換性を有するソケット１７を備える。そして、ＬＥＤランプ１を、ソケット１７を用いて照明器具に固定する。この様にＬＥＤランプ１は、現在多用されている蛍光灯の代用品として広く使用することができ、また、現在多用されている照明器具にそのまま固定することができる為、設備投資を行う必要がない。
【００１８】
この様に、ＬＥＤランプ１によれば、乳半色のアクリル樹脂を用いることにより、ＬＥＤ素子５の数を増加させることなく十分な光量を得ることができ、消費電力を抑制することができる。また、導光体７としてアクリル樹脂を用いる為、蛍光灯の様に破損するおそれが少なくなる。また、アクリル樹脂を用いることにより、ＬＥＤランプ１全体の重量を軽量化することが可能となる。さらに、ＬＥＤランプ１は、青色のＬＥＤ素子５から照射される光に含まれる紫外線を吸収することができる為、ユーザの健康に悪影響を及ぼすことを防止することができる。
【図面の簡単な説明】
【００１９】
【図１】本発明の実施の形態にかかるＬＥＤランプの側面図である。
【図２】同ＬＥＤランプの断面図である。
【図３】同ＬＥＤランプに備えられた基板の平面図である。
【図４】同ＬＥＤランプに備えられた導光体の側面図である。
【図５】同ＬＥＤランプの断面図である。
【図６】同ＬＥＤランプの変形例を示す立面図である。
【符号の説明】
【００２０】
１    ＬＥＤランプ
５    ＬＥＤ素子
７    導光体
１５    変換部
【図１】
2008218141.tif 000003
【図２】
2008218141.tif 000004
【図３】
2008218141.tif 000005
【図４】
2008218141.tif 000006
【図５】
2008218141.tif 000007
【図６】
2008218141.tif 000008